(57)【要約】【課題】上フラップにファスナーの構造を有することの有用性を損なうことなく、上フラップと内フラップとを接着し、上フラップと内フラップとの間を故意に広げることを防止する。【解決手段】下フラップ１４の両側それぞれの内フラップ１５、１７と重なる範囲内で、下フラップ１４の両側端における下フラップ１４の基端の近傍位置から下フラップ１４の上端１４ｃにかけて切り欠き、下フラップ１４の両側に、基端１４ａと切り欠き部２２とが近接した狭幅の接着面部２３を設け、該狭幅の接着面部２３の下位に内フラップ１５、１７を重ね合わせるとともに、上位に上フラップ１６が重ね合されて、該上フラップ１６の接着面部２１を、下フラップ１４の狭幅の接着面部２３と、この狭幅の接着面部２３の間に位置する広幅の接着面部２４と、切り欠き部２２の側方に位置する内フラップ１５、１７とに接着した。【選択図】    図１
2006111292.tif 000002
【特許請求の範囲】
【請求項１】
四つの側板からなる箱胴体の取り出し開口部で対向位置する一組の側板の端縁それぞれに連接された内フラップが取り出し開口部側に折り倒され、他の一組の内の一方の側板の端縁に連接された下フラップが前記内フラップそれぞれに折り重ねられ、前記他の一組の内の他方の側板の端縁に連接された上フラップが前記下フラップに折り重ねられていて、前記上フラップを、該上フラップの基端の長さ方向に沿った開封用分断予定部により基端側の非接着面部と上端側の接着面部とに区分して、前記接着面部を下位のフラップに接着して前記取り出し開口部が閉鎖され、前記開封用分断予定部での分断によって上フラップが非接着面部と接着面部とに分離する構成とした包装用紙容器において、
前記下フラップの両側それぞれの前記内フラップと重なる範囲内で、下フラップの両側端における下フラップの基端の近傍位置から下フラップの上端にかけて切り欠いて、下フラップの基端中央側に向けて凸となる弧状の切り欠き部を形成し、下フラップの両側に、下フラップの基端と前記切り欠き部とが近接した狭幅の接着面部を設け、
該狭幅の接着面部の下位に前記内フラップが重ね合わされているとともに、上位に前記上フラップが重ね合されて、該上フラップの接着面部が、前記下フラップの狭幅の接着面部と、この狭幅の接着面部の間に位置する下フラップの広幅の接着面部と、前記切り欠き部の側方に位置する内フラップとに接着されていることを特徴とする包装用紙容器。
【請求項２】
上記切り欠き部の側方に位置して上記上フラップの接着面部と対応する内フラップの接着面部は、開封用分断予定部の長さ方向に沿った長さが開封用分断予定部の長さ方向に直交する方向の長さより長い請求項１に記載の包装用紙容器。
【発明の詳細な説明】
【技術分野】
【０００１】
本発明は包装用紙容器、特に菓子商品に組み合わされる玩具などを収容する紙容器に関するものである。
【背景技術】
【０００２】
各種商品を収める容器としてブランクを組み起こしてなる紙容器が従来から利用されてきており、その紙容器における四つの側板で囲った箱胴体の取り出し開口部は、その四つの側板それぞれに連接されているフラップそれぞれを折り倒して重ね合わせ、最上位となる上フラップをその下位のフラップに接着して閉鎖するようにしている。また、その取り出し開口部の閉鎖では、対向する一組の側板にそれぞれが連接されて対向する小さい内フラップを折り倒し、もう一組の側板の内の一方の側板に連接された下フラップを前記内フラップそれぞれの上に折り重ね、さらに他方の側板に連接された上フラップを前記下フラップの上に折り重ねていて、その上フラップを下位の下フラップに接着しているため、上フラップと内フラップとの間の隙間が開き易くなっている。そして、その対策として下フラップの両端を切り欠き、その切り欠き形状に対応して内フラップを段付きして設け、最上位の上フラップが下フラップに重なるとともに、切り欠きの側方に位置する内フラップにも直接重なるようにした工夫がある（特許文献１参照）。
そして、内フラップを段付きに形成し、下フラップの基端に沿って上フラップを接着するとともに、内フラップの基端にも沿って上フラップを接着する工夫も提案されていた（特許文献２参照）。
【特許文献１】実公昭５６−０１５１３３号公報（第二欄２５〜２９行、第３図）
【特許文献２】実公昭５５−０３９７８５号公報（第二欄３０〜３１行、第３図）
【発明の開示】
【発明が解決しようとする課題】
【０００３】
一方、包装用紙容器において、取りだし開口部を閉じている閉鎖部分に対する開封操作を行ない易くするため、最上位に位置する上フラップを、該上フラップの基端の長さ方向に沿った開封用分断予定部により基端側の非接着面部と接着面部とに区分して、前記接着面部を下位のフラップに接着したものがあり、前記開封用分断予定部での分断によって上フラップが非接着面部と接着面部とに分離する構成とする紙容器がある。なお、開封用分断予定部は通常、ファスナーと称されているものであって、不連続に並び、カット目それぞれが略へ形状である二条のカット線を上フラップに穿設して形成されていて、一方向からカット線間を取り除くことで上フラップが分断されるようにしたものである。
取り出し開口部を閉じている部分での最上位である上フラップに上述した開封用分断予定部を設けた構造のものがその紙容器の開封操作において容易であることから、菓子商品に組み合わせるおまけや玩具を収容する紙容器に採用することが考えられている。
【０００４】
しかしながら、上記ファスナーの構造とした開封用分断予定部を上フラップに設ける場合、上述したような内フラップの基端側を上フラップに接着する構成を採ることができないため、現状においては上フラップを下フラップのみに接着している。そのため、上フラップの両側部と内フラップとの間が開き易いものとなっている。そして、昨今、手の込んだおまけや玩具などを組み合わせた菓子商品が多く流通し、そのおまけや玩具の取得を目的として商品購入される場合が多くなっていて、上フラップにファスナー構造の開封用分断予定部を設けた紙容器では、内部に収容されたものがどのようなものかを確認しようとして、上フラップと内フラップとの間の隙間に指先などを差し入れて隙間を大きく開ろげる不正な取り扱いが行われるという問題がある。よって、現状ではおまけや玩具を収容する紙容器としては開封操作が行ない易いファスナー構造を有したものが利用できない。
そこで本発明は上記事情に鑑み、上フラップにファスナーの構造を有することの有用性を損なうことなく、上フラップと内フラップとを接着することを課題とし、上フラップと内フラップとの間を故意に広げることを防止することを目的とするものである。
【課題を解決するための手段】
【０００５】
本発明は上記課題を考慮してなされたもので、四つの側板からなる箱胴体の取り出し開口部で対向位置する一組の側板の端縁それぞれに連接された内フラップが取り出し開口部側に折り倒され、他の一組の内の一方の側板の端縁に連接された下フラップが前記内フラップそれぞれに折り重ねられ、前記他の一組の内の他方の側板の端縁に連接された上フラップが前記下フラップに折り重ねられていて、前記上フラップを、該上フラップの基端の長さ方向に沿った開封用分断予定部により基端側の非接着面部と上端側の接着面部とに区分して、前記接着面部を下位のフラップに接着して前記取り出し開口部が閉鎖され、前記開封用分断予定部での分断によって上フラップが非接着面部と接着面部とに分離する構成とした包装用紙容器において、前記下フラップの両側それぞれの前記内フラップと重なる範囲内で、下フラップの両側端における下フラップの基端の近傍位置から下フラップの上端にかけて切り欠いて、下フラップの基端中央側に向けて凸となる弧状の切り欠き部を形成し、下フラップの両側に、下フラップの基端と前記切り欠き部とが近接した狭幅の接着面部を設け、該狭幅の接着面部の下位に前記内フラップが重ね合わされているとともに、上位に前記上フラップが重ね合されて、該上フラップの接着面部が、前記下フラップの狭幅の接着面部と、この狭幅の接着面部の間に位置する下フラップの広幅の接着面部と、前記切り欠き部の側方に位置する内フラップとに接着されていることを特徴とする包装用紙容器を提供して、上記課題を解消するものである。
そして、本発明において、上記切り欠き部の側方に位置して上記上フラップの接着面部と対応する内フラップの接着面部は、開封用分断予定部の長さ方向に沿った長さが開封用分断予定部の長さ方向に直交する方向の長さより長いものとすることが良好である。
【発明の効果】
【０００６】
本発明によれば、上フラップを重ね合わせる下フラップの両側が切り欠かれて、その切り欠き部の側方に位置する内フラップと上フラップの接着面部とが直接相対するようになる。そして、上フラップの接着面部における両側は、下フラップの狭幅の接着面部に接着するとともに切り欠き部の側方の内フラップにも接着されているため、上フラップと内フラップとの間が開き難くなり、指先を挿し入れて間を開き内部の収納物を見るという不正行為を確実に防止できる。
また、本発明において、上記切り欠き部の側方に位置して上記上フラップの接着面部と対応する下フラップの接着面部を、下フラップの幅方向の長さが下フラップの高さ方向の長さより長くすることで、上フラップの接着面部と下位の内フラップとが上フラップの接着面部の長さ方向に長く接着することとなり、上フラップの接着面部の両側部と内フラップとがより確実に接着されるようになる。
【発明を実施するための最良の形態】
【０００７】
つぎに本発明を図１から図８に示す実施の形態に基づいて詳細に説明する。
図中１は本発明に係る包装用紙容器で、該包装用紙容器１は図３に示されているように背面板２、天面板３、正面板４、底面板５とが折り罫６を介して連接され、背面板２を正面板４に対向するように、また、天面板３を底面板５に対向するように折り込み、背面板２に連接された糊代８を底面板５に接着することで箱胴体９となり、また、前記背面板２、天面板３、正面板４、底面板５のそれぞれの同一側の側辺に折り罫６を介して下フラップ１０、内フラップ１１、上フラップ１２、内フラップ１３が連接されていて、前記内フラップ１１、１３それぞれを折り込み、この内フラップ１１、１３の上に下フラップ１０を折り重ね、さらにこの下フラップ１０に上フラップ１２を折り重ね、上フラップ１２とこの上フラップ１２に対向する下位のフラップとを接着して箱胴体９の一方が閉じられて閉鎖部Ａを形成し（図２参照）、同じく、前記背面板２、天面板３、正面板４、底面板５のそれぞれの他方側の側辺に折り罫６を介して下フラップ１４、内フラップ１５、上フラップ１６、内フラップ１７が連接されていて、前記内フラップ１５、１７それぞれを折り込み、この内フラップ１５、１７の上に下フラップ１４を折り重ね、さらにこの下フラップ１４に上フラップ１６を折り重ね、上フラップ１６とこの上フラップ１６に対向する下位のフラップとを接着して箱胴体９の他方が閉じられて閉鎖部Ｂを形成しているものである（図１参照）。また、この包装用紙容器１にあっては、図１に示されているように天面板３と正面板４との間に傾斜面板１８が湾曲した上下一対の折り罫６で囲まれるようにして区画されていて、箱胴体９を組み起こしたときにこの傾斜面板１８が天面板３から正面板４にかけて傾斜し、箱胴体９の内側に凹んだ曲面を形成して、この包装用紙容器１の正面視での外観において、通常のブロックタイプの箱体と上部形状を異にしてアイキャッチ効果が高められるようにしている。
【０００８】
本包装用紙容器１においては、箱胴体９の上記閉鎖部Ｂが取り出し開口部Ｃを閉じている。そして、収納物を収めたこの包装用紙容器１を商品として正規に購入した購入者が開封し易くするために、閉鎖部Ｂにおいて最上位となる上フラップ１６がファスナーを有しているとともに、上述したようにこの閉鎖部Ｂの側方（容器高さ方向においては閉鎖部Ｂの上部側と下部側）での隙間が不正に広げられないようにする工夫が施されている。この点を以下に説明する。
【０００９】
まず、閉鎖部Ｂの最上位となる上フラップ１６には、該上フラップ１６の基端１６ａ（折り罫６側）の長さ方向に亘って不連続なカットからなる二条のカット線ｃが平行にして入れられて、そのカット線ｃの間を開封用分断予定部１９としており、前記開封用分断予定部１９によって基端１６ａ側に位置する非接着面部２０と、上フラップ１６の上端１６ｃ側となる接着面部２１とに区分され、前記開封用分断予定部１９を取り除く分断によって上フラップ１６が非接着面部２０と接着面部２１とに分離するように設けられている。
また、対向する内フラップ１５、１７それぞれに折り重ねられた上記下フラップ１４は、図３に示すように、両端に切り欠き部２２が設けられている。下フラップ１４の基端１４ａ（折り罫６側）の長さ方向に相対する前記切り欠き部２２それぞれは、下位の内フラップ１５、１７と重なる範囲内で略弧状に切り欠かれたものであり、その切り欠き形状は、下フラップ１４の側端１４ｂにおける基端１４ａの近傍位置ａ（内フラップ１５、１７と重なる範囲内の位置）を始端として、前記近傍位置ａの部分で上記上フラップ１６の開封用分断予定部１９の長さ方向に沿った方向に切り込まれ、さらに切り込み縁が下フラップ１４の中央側に進むに従って徐々に下フラップ１４の上端１４ｃに曲がり、下フラップの上端１４ｃであって内フラップ１５、１７と重なる範囲内の位置を終端として切り込み縁が達する略弧状の形状に設けられている。
このように下フラップ１４の両側の切り欠き部２２の形状が、側端１４ｂから上端１４ｃに亘るにあたって、側端１４ｂの上記内フラップ１５、１７と重なる範囲である基端１４ａの近傍位置ａでは開封用分断予定部１９の長さ方向に沿い、そして徐々に曲がって前記開封用分断予定部１９の位置と交差し、下フラップ１４の上端１４ｃに達する略弧状の形状（基端１４ａの中央側に凸となる形状）としており、この下フラップ１４の上記上フラップ１６の接着面部２１と対応する領域で、前記側端側１４ｂ側において前記切り欠き部２２と基端１４ａとの間それぞれに、下フラップ１４の高さ方向（基端１４ａと上端１４ｃとの対向方向）で狭幅の接着面部２３を形成し、そして基端１４ａに沿った方向で相対している前記狭幅の接着面部２３の間であって下フラップ１４の中央部分をこの下フラップの高さ方向で広幅となる接着面部２４を形成している。
【００１０】
上記下フラップ１４の下位となっている内フラップ１５、１７は、下フラップ１４の切り欠き部２２が上述した形状に設けられていることから、この切り欠き部２２の側方（開封用分断予定部１９の長さ方向に沿った方向）で直接、上フラップ１６と相対した状態になっており、上フラップ１６での上記接着面部２１と対応する部分を接着面部２５として設けられている。
そして、切り欠き部２２の側方それぞれに内フラップ１５、１７の接着面部２５を位置させ、その接着面部２５と上記下フラップ１４の狭幅の接着面部２３とが、上フラップ１６の高さ方向（基端１６ａと上端１６ｃとが対向する方向）に並び、即ち、上フラップ１６の側端１６ｂに沿う方向に並ぶ配置とされ、これら接着面部２３、２５が、開封用分断予定部１９の長さ方向においては上記広幅の接着面部２４と並ぶ配置としている。上フラップ１６の接着面部２１は前記接着面部２３、２４、２５と相対していて、例えば、製函時に前記接着面部２１の下面に塗布されたホットメルトなどの接着手段２６を介して貼り合わされている。
このように閉鎖部Ｂでの両側では、上フラップ１６の接着面部２１が、下位の下フラップ１４の接着面部２３、内フラップ１５、１７の接着面部２５とに貼り合わされているため、上フラップ１６と内フラップ１５、１７との隙間が非常に小さくなり、また、この隙間を、閉鎖部Ｂの形状を損なわずに広げることが困難である。そのため、閉鎖部Ｂの両側で指先を入れて内部の収容物を確認しようする不正行為を抑止できる。
また、上フラップ１６の開封用分断予定部１９は接着手段などで下位のフラップに接着されているものではないため、閉鎖部Ｂの両側での上フラップと内フラップとの隙間を広げる不正行為を行なおうとした場合には開封用分断予定部１９のカット目がすぐに切れることになり、よって、不正行為が合ったことの跡が残って不正行為の確認が行ない易くなる。
また、この実施の例では、切り欠き部２２の形状が略弧状であるため、上記内フラップ１５、１７の接着面部２５は、開封用分断予定部１９の長さ方向に沿った長さが開封用分断予定部１９の長さ方向に直交する方向の長さより長くなる形状であり、この接着面部２５のほぼ全面に接着手段２６が乗る状態となっており、よって上フラップ１６の接着面部２１と内フラップ１５、１７との接着状態がより強固なものとなっている。そのため、上述した不正行為をより確実に防止できる。
【００１１】
上記閉鎖部Ｂと対向する閉鎖部Ａでは、上述したように内フラップ１１、１３を折り込み、この内フラップ１１、１３の上に下フラップ１０を折り重ね、さらにこの下フラップ１０に上フラップ１２を折り重ね、上フラップ１２を下位のフラップに接着しているが、この閉鎖部Ａにおいても不正行為を防止する必要がある。そのため、下フラップ１０の両側に切り欠き部２７が設けられていて、この切り欠き部２７にあっては、下位の内フラップ１１、１３に重なる範囲内であって、基端１０ａ側である側端１０ｂの近傍位置ｂを始端として、その始端の位置から下フラップ１０の中央側にして上端１０ｃ側に近付く直線状の切り欠き縁が斜めに進み、その斜めの所要長さの切り欠き縁から上端１０ｃに対して直角となって切り込み縁が進む屈曲した形状に設けられている（図３参照）。
この閉鎖部Ａの下フラップ１０においても、切り欠き部２７と基端１０ａとの間を狭幅の接着面部２８とし、切り欠き部２７相互間を広幅の接着面部２９としている。そして、切り欠き部２７の側方に内フラップ１１、１３の接着面部３０が位置している。閉鎖部Ａでの上フラップ１２には上述した開封用分断予定部を設ける必要はなく、前記接着面部２８、２９、３０に対応する部分を接着面部３１としている。そして、上フラップ１２の接着面部３１の裏面に接着手段を施し、上フラップ１２を折り重ねることで、この上フラップ１２の接着面部３１が、下フラップ１０の狭幅の接着面部２８、広幅の接着面部２９、そして内フラップ１１、１３の接着面部３０に接着している。閉鎖部Ａでの両側では、下フラップ１０の狭幅の接着面部２８と内フラップ１１、１３の接着面部３０とが、下フラップ１０の側端１０ｂに沿った方向に並ぶ配置であるため、上フラップ１２の接着面部３１に、狭幅の接着面部２８と内フラップ１１、１３とが直接接着されるようになる。よって、閉鎖部Ａの両側でも内フラップ１１、１３と上フラップ１２との隙間を指先で開くことができず、よってこの閉鎖部Ａ側から内部を見ようとする不正行為を確実に防止できる。
【００１２】
上記閉鎖部Ｂにおいて、下フラップ１４の両側に位置する切り欠き部２２は上述したように内フラップ１５、１７に重なる範囲内で略弧状に設けられている。そして、切り欠き部２２としてなる下フラップ１４の両側と内フラップ１５、１７との重なりは、上フラップ１６を貼り合わせるために塗布されたホットメルト材などの流動性のある接着手段が包装箱の内部に入り込まない重なり度合いとしている。例えば、図４に示すように、内フラップ１５と１７との間の長さをＬ１としたとき、下フラップ１４の基端１４ａ方向において最小となる長さＬ２をＬ１＋２〜３ｍｍとしている。図示の実施の形態では、最小となる長さＬ２を有する部分は上端１４ｃの位置であり、この上端１４ｃの長さＬ２がＬ１＋２〜３ｍｍとなるようにしている。
そして、内フラップ１５、１７を上記実施の形態では略四角形としているが、内フラップ１５、１７の上端１５ｃ、１７ｃの形状を円弧などとしたような場合、内フラップ１５と１７との間の長さＬ１と下フラップ１４の上端１４ａでの長さＬ２とが上述の関係を満たしている他に、つぎの関係を満たすようにする。即ち、内フラップ１５、１７の基端１５ａ、１７ａの各部位での高さをＨ１とし、内フラップ１５，１７の基端１５ａ，１７ａから内フラップ高さ方向での切り欠き部２２までの長さをＨ２としたときに、Ｈ１＞Ｈ２の関係が満たされるようにする。このようにすることによって、上記接着手段が箱内部に入り込むのを確実に防止できる。
【００１３】
本発明の実施の形態では切り欠き部２２を弧状に湾曲させていることから、上述したＬ２＝Ｌ１＋２〜３ｍｍ、Ｈ１＞Ｈ２の条件を満たしつつ、さらに、内フラップ１５，１７での接着面部２５の基端１５ａ，１７ａの方向に沿った長さδと、内フラップ１５，１７の接着面部２５の高さβとを大きくして、上フラップ１６と接着する接着面部２５の面積を増やすことが可能となっている。その結果、開封用破断予定部１９を設けている上フラップ１６と内フラップ１５、１７との重なり合いで上述のように接着しない部分があっても、不正な開きを十分に防ぐことができる。
なお、上記接着面部２５の高さβを好ましくはＨ１の１／２以上で、１／５以下になるように、さらに高さβをＨ１の２／３以上で、１／４以下になるようにすることが、長さβと上記長さδとを長くして接着面積２５を増やす上で良好である。
【００１４】
この実施の形態では、閉鎖部Ａの内フラップ１１、１３と閉鎖部Ｂの内フラップ１５、１７とのそれぞれの高さは同一としている。この条件の下で、閉鎖部Ｂの上記下フラップ１４の上端１４ｃの長さＬ２を、閉鎖部Ａの下フラップ１０の上端１０ｃの長さＬ３より短くしている。そして、下フラップ１４の両側の切り欠き部２２を上述した弧状の形状として内フラップ１５、１７の面積の広い接着面部２５を形成している。
即ち、切り欠き部２２を弧状とし、下フラップ１４の上端１４ｃの長さＬ２を下フラップ１０の上端１０ｃの長さＬ３より短くすることで、開封用破断予定部１９を有さずに接着領域を広く確保している閉鎖部Ａでの上フラップ１２と内フラップ１１、１３との間の広げ難さと同様に、上フラップ１６と内フラップ１５、１７との間を広げ難いものとすることができる。
【００１５】
図５から図  は上記閉鎖部Ｂの製函の際の工程と、開封する状態を連続して示している。上述したように、内フラップ１５、１７に重なるようにして下フラップ１４を折り重ねる（図５）。
つぎに上フラップ１６の接着面部２１に対応する下フラップ１４の狭幅の接着面部２３、広幅の接着面部２４、内フラップ１３、１５の接着面部２５に接着手段２６を塗布する（図６）。なお、上述したように上フラップ１６の接着面部２１に接着手段２６を塗布してもよい。
そして、上フラップ１６を折り重ね、接着面部２１を下位のフラップ１３、１４、１５の接着面部２３、２４、２５に貼り合わせて、閉鎖部Ｂが形成される（図７）。
開封に際しては、開封用分断予定部１９を取り除く。これによって上フラップ１６が非接着面部２０と接着面部２１とに分断される（図８）。
この後、下フラップ１４を上フラップ１６の接着面部２１とともに引き起こして、接着面部２１と内フラップ１３、１５とを剥離させる（図９）。そして内フラップ１５、１７を開いて、取り出し開口部Ｃから収容物を取り出すことができるようになる（図１０）。
【００１６】
なお、閉鎖部Ａ，Ｂそれぞれにおいて接着手段が塗布される部分については、その接着手段の定着性を向上させるために、図１１に示すように各接着面部の接着手段受け面側に貫通しない深さの複数の切り込み３２などを入れることができ、また、他の公知の手法を採用することも可能である。
【図面の簡単な説明】
【００１７】
【図１】本発明に係る包装用紙容器の一例を一部切り欠いて示す説明図である。
【図２】同じく一例を一部切り欠いて示す説明図である。
【図３】展開した状態を示す説明図である。
【図４】閉鎖部Ｂにおける下フラップと内フラップとの重なりを示す説明図である。
【図５】一例における閉鎖部での上フラップの重ね合わせ前の状態を示す説明図である。
【図６】一例において接着手段を塗布した状態を示す説明図である。
【図７】取り出し開口部を閉じた状態の閉鎖部を示す説明図である。
【図８】開封用分断予定部を取り除いた状態を示す説明図である。
【図９】下フラップを引き起こした状態を示す説明図である。
【図１０】取り出し開口部を開いた状態を示す説明図である。
【図１１】切り込みを設けた例の展開を示す説明図である。
【符号の説明】
【００１８】
１…包装用紙容器
９…箱胴体
１０…下フラップ
１０ａ…基端
１０ｂ…側端
１０ｃ…上端
１１…内フラップ
１２…上フラップ
１３…内フラップ
１４…下フラップ
１４ａ…基端
１４ｂ…側端
１４ｃ…上端
１５…内フラップ
１６…上フラップ
１６ａ…基端
１６ｂ…側端
１６ｃ…上端
１７…内フラップ
１８…傾斜面板
１９…開封用分断予定部
２０…非接着面部
２１…接着面部
２２…切り欠き部
２３…狭幅の接着面部
２４…広幅の接着面部
２５…接着面部
２６…接着手段
２７…切り欠き部
２８…狭幅の接着面部
２９…広幅の接着面部
３０…接着面部
３１…接着面部
Ａ…閉鎖部
Ｂ…閉鎖部
Ｃ…取り出し開口部
ａ…近傍位置
ｂ…近傍位置
ｃ…カット線
【図１】
2006111292.tif 000003
【図２】
2006111292.tif 000004
【図３】
2006111292.tif 000005
【図４】
2006111292.tif 000006
【図５】
2006111292.tif 000007
【図６】
2006111292.tif 000008
【図７】
2006111292.tif 000009
【図８】
2006111292.tif 000010
【図９】
2006111292.tif 000011
【図１０】
2006111292.tif 000012
【図１１】
2006111292.tif 000013